(57)【要約】【課題】  運送費が安くなり、バックガードの後方への水の浸入を防止できるとともに、バックガードを安定した状態で設置できるシステムキッチンを提供すること。【解決手段】  上面にカウンター１１ａが形成されるとともにカウンター１１ａの後部に上方に延びるバックガード１４が形成され、バックガード１４を壁面１０ａに沿わせて配置されるシステムキッチンＡのバックガード１４を、水返し１４ａと意匠パネル１５で構成した。水返し１４ａは、カウンター１１ａと一体に成形した。そして、意匠パネル１５は、水返し１４ａの上に位置するようにして壁面１０ａに取り付けた。【選択図】  図１
2015229064.tif 000002
【特許請求の範囲】
【請求項１】
上面にカウンターが形成されるとともに前記カウンターの後部にバックガードが形成され、前記バックガードを壁面に沿わせて配置されるシステムキッチンであって、
前記バックガードを、
前記カウンターと一体に成形され前記カウンターから上方に延びる水返しと、
前記水返しの上に位置するようにして前記壁面に取り付けられた意匠パネルと
で構成したことを特徴とするシステムキッチン。
【請求項２】
前記意匠パネルの前面下端が前記水返しの前面上端よりも前方に位置している請求項１に記載のシステムキッチン。
【請求項３】
前記壁面への意匠パネルの取付けに、前記壁面に固定される固定片と、固定片から前方に延び前記意匠パネルの下端部を支持する支持片と、前記支持片の前端部に形成され前記水返しの前面上縁部を覆う覆い片とを備えた固定部材を用いた請求項１又は２に記載のシステムキッチン。
【請求項４】
前記意匠パネルの後端下部に下方に延びる固定部を設け、前記固定部を前記壁面に固定することにより、前記壁面に意匠パネルを取付けた請求項１又は２に記載のシステムキッチン。
【請求項５】
左右方向の長さが前記水返しの左右方向の長さよりも短い小意匠パネルを、１つ又は左右に複数配置して前記意匠パネルを構成した請求項１ないし４のうちのいずれか一つに記載のシステムキッチン。
【発明の詳細な説明】
【技術分野】
【０００１】
本発明は、上面にカウンターが形成されるとともにカウンターの後部に上方に延びるバックガードが形成され、バックガードを壁面に沿わせて配置されるシステムキッチンに関する。
【背景技術】
【０００２】
従来から、システムキッチンや流し台のカウンターの上面における後部や側部には、水がカウンターから流れ落ちたり周囲に飛び散ったりすることを防止するためにバックガードが設けられている。このようなバックガードは、通常カウンターと一体に成形されている。このように、カウンターとバックガードを一体に形成すると、システムキッチンや流し台が大型になって工場から各店舗又は購入者の所まで運送する費用が高くなるという問題がある。このため、バックガードをカウンターとは別部材で構成した流し台もある（例えば、特許文献１参照）。
【０００３】
この流し台では、バックガードは、カウンター（天板）と別部材からなっており、接着剤とタッピンねじを用いてカウンターの上面後部に固定されている。すなわち、バックガードには、上端から下端に貫通する貫通孔が形成されており、バックガードは、接着剤によってカウンターに接着されたのちに、さらに、タッピンねじをバックガードの上方から貫通孔に通し、その先端部をカウンターに螺合させることにより固定されている。
【先行技術文献】
【特許文献】
【０００４】
【特許文献１】実開昭６１−４３４３８号公報
【発明の概要】
【０００５】
しかしながら、前述した流し台では、カウンターとバックガードの境界部が下方に位置しているため、カウンターに流れた水が、カウンターとバックガードの境界部を通過して後方に浸入する虞がある。また、バックガードをタッピンねじでカウンターに固定しているため、いわゆるハイバックカウンター式のシステムキッチンに備わったバックガードのように、高さが高くなると不安定になるという問題もある。
【０００６】
本発明は、前述した問題に対処するためになされたもので、その目的は、運送費が安くなり、バックガードの後方への水の浸入を防止できるとともに、バックガードを安定した状態で設置できるシステムキッチンを提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係るシステムキッチンの構成上の特徴は、上面にカウンター（１１ａ，２１ａ）が形成されるとともにカウンターの後部にバックガード（１４，２４，３４，４４，５４，６４，７４，８４，９４，１０４）が形成され、バックガードを壁面（１０ａ）に沿わせて配置されるシステムキッチン（Ａ，Ｂ）であって、バックガードを、カウンターと一体に成形されカウンターから上方に延びる水返し（１４ａ，２４ａ）と、水返しの上に位置するようにして壁面に取り付けられた意匠パネル（１５，４５，５５，６５，７５，８５，９５）とで構成したことにある。
【０００８】
本発明に係るシステムキッチンでは、バックガードを、カウンターと一体に成形された水返しと、水返しと別体になった意匠パネルで構成しており、意匠パネルは壁面に取り付けられる。このため、台所に設置される前のシステムキッチンを運送する際には、意匠パネルを寝かした状態でカウンターの上面に置いたり、システムキッチン本体の前面又は後面に沿わせたりして梱包することができ、これによって、意匠パネルの高さ分、システムキッチンを低くすることができる。この結果、梱包した状態のシステムキッチンが小さくなった分運送費が安価になる。また、バックガードの下部を構成する水返しは、カウンターと一体に形成されるため、カウンターとバックガードの間に境界はない。このため、カウンターの上面からカウンターとバックガードの後方に水が浸入することはなくなる。
【０００９】
また、意匠パネルは、水返しに固定されるのではなく、壁面に固定されるため、安定した状態で取り付けることができ、高さも任意に設定できる。この場合の意匠パネルの壁面への取付けは、金属や樹脂材料からなる固定部材を用いて行える他、接着剤、接着テープ、ねじ等を用いて直接意匠パネルを壁面に取り付けることもできる。さらに、意匠パネルとしては、高さの異なるものを複数種類用意しておき、システムキッチンを設置する場所に応じて、最適な意匠パネルを選択することもできる。なお、意匠パネルが取り付けられる壁面は、建築の壁面の他、キッチンの背面側に造作した壁面やキッチンの背面側に設置したキャビネットの背面でもよい。
【００１０】
本発明に係るシステムキッチンの他の構成上の特徴は、意匠パネルの前面下端が水返しの前面上端よりも前方に位置していることにある。
【００１１】
水返し、意匠パネルおよび壁面にはそれぞれ反りが発生していることがある。水返し、意匠パネルおよび壁面に反りが発生していた場合に、水返しの上方に意匠パネルを設置すると、水返しの上端部と意匠パネルの下端部を一致させることが難しく、水返しの上方に意匠パネルを設置することによって反りによる水返しと意匠パネルとのずれがより目立つことがある。このため、水返し、意匠パネル及び壁面のいずれかに反りが生じていたとしても、本発明のように、意匠パネルの前面下端を水返しの前面上端よりも前方に位置させることで、その反りを目立ちにくくすることができる。この結果、水返し、意匠パネル及び壁面のいずれかに反りが生じることによって、美観を損なうことがなくなる。
【００１２】
また、意匠パネルの前面下端を水返しの前面上端よりも前方に位置させているので、水返しと意匠パネルの境界が見えにくい。従って、水返しと意匠パネルの境界に隙間が生じていたとしても、その隙間が見えにくい。なぜならば、システムキッチンのバックガードは、大人の目の位置よりも低い位置に位置している。このため、意匠パネルの前面下端が水返しの前面上端よりも前方に位置することで、上方から水返しと意匠パネルの境界を見たときに、意匠パネルの前面下端が、水返しと意匠パネルの境界を隠す。したがって、水返しと意匠パネルの境界に隙間が生じていても、その隙間を見えにくくすることができる。さらに、水返しと意匠パネルの境界における露出した面が意匠パネルの下端面になるため、水返しと意匠パネルの境界に汚れや埃が溜まりにくい。なお、本発明において意匠パネルの前面下端とは、意匠パネルの前面と下面とが交差する線を言い、水返し前面上端とは、水返しの前面と上面が交差する線を言う。
【００１３】
本発明に係るシステムキッチンのさらに他の構成上の特徴は、壁面への意匠パネル（１５，４５，８５，９５）の取付けを、壁面に固定される固定片（３６ａ，４６ａ）と、意匠パネルの下端部を支持する支持片（３６ｂ，４６ｂ，５６ｂ）と、支持片の前端に形成され水返しの前面上縁部を覆う覆い片（３６ｃ，４６ｃ）とを備えた固定部材（３６，４６，５６）を用いて行うようにしたことにある。
【００１４】
本発明によると、固定部材を用いるため意匠パネルを壁面に強固に取り付けることができる。また、水返しの高さにばらつきが生じて、水返しの上端に凹凸があってもその凹凸が覆い片によって隠れてしまうため、水返しの前面上縁部の凹凸が見えることによって美観を損なうことがなくなる。なお、覆い片は、水返しの前面上縁部だけでなく、意匠パネルの前面下縁部も覆えることがより好ましい。これによると、水返しと意匠パネルの間に隙間が生じていてもその隙間を覆い片で隠すことができる。この場合、さらに、覆い片における意匠パネルの前面下縁部を覆う部分を、意匠パネルの下端の位置決めに利用できるようにすることがより好ましい。
【００１５】
本発明に係るシステムキッチンのさらに他の構成上の特徴は、意匠パネル（７５）の後端下部に下方に延びる固定部（７５ｄ）を設け、固定部を壁面に固定することにより、壁面への意匠パネルの取付けを行うようにしたことにある。
【００１６】
本発明によると、意匠パネルに固定部を設けることで、別途固定部材を用いることなく意匠パネルを壁面に取り付けることができる。この場合、固定部は、ねじ、接着剤、接着テープなどを用いて壁面に固定することができる。また、固定部は水返しの裏面に位置させて前方からは見えなくする。なお、固定部の上下方向の長さは任意に設定することができ、例えば、カウンターの下端部と水返しの上端部の間の長さと略同じにすることにより意匠パネルの取り付け及びシステムキッチン本体設置が容易になる。すなわち、固定部の下端部の位置がカウンターの下端部の位置と同じになるようにして意匠パネルを予め壁面に固定しておき、その状態の意匠パネルに合わせてシステムキッチン本体を設置することにより、水返しと意匠パネルを位置ずれさせることなく配置できる。
【００１７】
本発明に係るシステムキッチンのさらに他の構成上の特徴は、意匠パネルを、左右方向の長さが水返し（１４ａ）の左右方向の長さよりも短い１つの小意匠パネル又は左右に配置された複数の小意匠パネル（１０５ａ，１０５ｂ，１０５ｃ）で構成したことにある。
【００１８】
本発明によると、意匠パネルを左右方向の長さが水返しの左右方向の長さよりも短い小意匠パネルで構成し、その小意匠パネルを少なくとも１つ用いるようにしている。このため、壁面における必要な部分だけに小意匠パネルを取り付けたり、壁面の場所に応じて異なる小意匠パネルを取り付けたりすることができる。システムキッチンのカウンターには、通常、シンク、加熱装置などが設置されている。このため、例えば、シンクの後方の壁面には、防水性及び耐水性に優れた小意匠パネルを取り付け、加熱装置の後方の壁面には、難燃性や撥油性に優れた小意匠パネルを取り付けることができる。
【図面の簡単な説明】
【００１９】
【図１】本発明の第１実施形態に係るシステムキッチンを示した斜視図である。
【図２】第１実施形態に係るシステムキッチンに備わったバックガードを示した断面図である。
【図３】本発明の第２実施形態に係るシステムキッチンに備わったバックガードを示した断面図である。
【図４】本発明の第３実施形態に係るシステムキッチンに備わったバックガードを示した断面図である。
【図５】本発明の第４実施形態に係るシステムキッチンに備わったバックガードを示した断面図である。
【図６】本発明の第５実施形態に係るシステムキッチンに備わったバックガードを示した断面図である。
【図７】本発明の第６実施形態に係るシステムキッチンに備わったバックガードを示した断面図である。
【図８】第６実施形態に係るバックガードにおける固定ねじで固定された部分を示した断面図である。
【図９】本発明の第７実施形態に係るシステムキッチンに備わったバックガードを示した断面図である。
【図１０】本発明の第８実施形態に係るシステムキッチンに備わったバックガードを示した断面図である。
【図１１】本発明の第９実施形態に係るシステムキッチンに備わったバックガードを示した断面図である。
【図１２】本発明の第１０実施形態に係るシステムキッチンを示した斜視図である。
【図１３】図１０に示した第８実施形態の変形例に係るバックガードを示した断面図である。
【発明を実施するための形態】
【００２０】
（第１実施形態）
以下、本発明の第１実施形態を図面を用いて説明する。図１は、同実施形態に係るハイバックカウンター式のシステムキッチンＡを示している。このシステムキッチンＡは、壁部１０の壁面１０ａに沿って設置されており、キャビネット本体１１の上部に設けられたカウンター１１ａに加熱用のＩＨヒータ１２とシンク１３とを左右両側に間隔をおいて配置している。また、キャビネット本体１１内には、前方に引出し可能になった複数の引き出し１１ｂが設けられ、カウンター１１ａにおけるシンク１３の後方の近傍部分には、水栓１３ａが取り付けられている。
【００２１】
そして、カウンター１１ａの後端部には、壁面１０ａに沿って上方に延びるバックガード１４が設けられている。このバックガード１４におけるカウンター１１ａの上面からの高さは１２５ｍｍに設定されており、バックガード１４の上端部は、水栓１３ａの吐水口部１３ｂの開口（下端部）よりも高い位置に位置している。なお、吐水口部１３ｂの開口のカウンター１１ａの上面からの高さは１００ｍｍに設定されている。また、壁面１０ａにおけるバックガード１４の上端近傍部分には、ハンガーレール１６が固定されている。
【００２２】
バックガード１４は、水返し１４ａと意匠パネル１５で構成されている。水返し１４ａは、カウンター１１ａと一体に成形されており、図２に示したように、前面における上下方向の中央側部分及び後面がそれぞれ平面になった横長の板状に形成されている。水返し１４ａの前面下部からカウンター１１ａの上面後部にかけての入り隅部分は曲面で段差なく形成されている。水返し１４ａの前面と上端面とが交差する角部は面取り加工されている。水返し１４ａは、カウンター１１ａの上面からの高さが４０ｍｍに設定され、前後方向の厚みが１２ｍｍに設定されている。
【００２３】
意匠パネル１５は、左右方向の長さが水返し１４ａと同じになった左右に長い板状に形成されており、上下方向の長さが８５ｍｍで、厚みが１４ｍｍに設定されている。また、意匠パネル１５の前面と下端面とが交差する角部、前面と上面が交差する角部、及び上端面と後面とが交差する角部は面取り加工されている。
【００２４】
この意匠パネル１５は、裏面を接着剤１５ａで壁面１０ａに接着することによって、水返し１４ａの上方に固定されており、意匠パネル１５の前面は、水返し１４ａの前面よりも３ｍｍほど前方に位置している。そして、意匠パネル１５の下端面前部と、水返し１４ａの前面上部との間の段差の部分は、コーキング１５ｂによってシールされている。カウンター１１ａと水返し１４ａ、シンク１３及び意匠パネル１５は、それぞれ人造大理石の成形体で構成されており、それらの表面には大理石の模様が施されている。
【００２５】
ハンガーレール１６は、意匠パネル１５の上端面に沿って左右方向に水平に延びており、レール本体１７と、レールカバー１６ａで構成されている。レール本体１７は、左右に延びる長尺の押出材からなっており、断面形状が略２の形状に形成されている。また、レール本体１７の上部に位置する本体上部１７ａと下部に位置する本体下部１７ｂはそれぞれ水平に延びる平板状に形成され、レール本体１７の前部には、本体上部１７ａの前端から下方に延びたのちに後方側やや下方に延びる係合部１７ｃと、本体下部１７ｂの前端から下方に延びる覆い部１７ｄが形成されている。
【００２６】
そして、レール本体１７の後部の上部には、前後に貫通する複数のねじ挿通孔１７ｅが左右に間隔を保って形成されており、レール本体１７は、ねじ１８のねじ部１８ａをねじ挿通孔１７ｅに通し壁部１０に螺合させることによって固定されている。なお、図示は省略しているが、係合部１７ｃにおけるねじ挿通孔１７ｅに対向する部分には、ねじ部１８ａだけでなくねじ１８の頭部１８ｂも通せるねじ挿通孔が形成されており、頭部１８ｂは、このねじ挿通孔を通過したのちに、ねじ挿通孔１７ｅの周縁部に係合する。また、係合部１７ｃの下端部と覆い部１７ｄの上端部（覆い部１７ｄの前端部）の間には隙間が形成されており、この隙間を介して後述する収納部材１９が取り付けられる。覆い部１７ｄは、意匠パネル１５の上端部を覆って、意匠パネル１５の上端部が前方から見えないようにしている。
【００２７】
レールカバー１６ａは、側面視による形状が略Ｌ形に形成されており、レール本体１７の本体上部１７ａの上面及び係合部１７ｃの前面から下部にかけての部分を覆うことのできる形状及び大きさに形成されている。このレールカバー１６ａは、薄い板で構成されて可撓性を有しており、本体上部１７ａの上面に沿わせてスライドさせることにより、前方からレール本体１７に取り付けることができる。また、ハンガーレール１６の両端には、キャップ１６ｂが取り付けられている。
【００２８】
収納部材１９は、洗剤やスポンジ等を置くためのもので、水平に配置された四角枠体の左右の両辺に、前後に間隔を保って左右に延びる複数の金属棒を連結して構成される収納部本体１９ａの後端両側から、上方に一対の吊棒１９ｂを延ばして構成されている。この吊棒１９ｂの上端側部分は、係合部１７ｃに係合できるように屈曲している。収納部材１９は、係合部１７ｃと覆い部１７ｄの間の隙間から吊棒１９ｂの上部を挿し込んで覆い部１７ｄに当接させその屈曲した部分を係合部１７ｃに係合させてハンガーレール１６にスライド可能に取り付けられている。
【００２９】
このように構成されたシステムキッチンＡを構成する各部材はそれぞれ所定の工場で製造される。そして、システムキッチンＡ、特にカウンター１１ａと意匠パネル１５を搬送する際には、カウンター１１ａの上面に意匠パネル１５を重ねて置く等してコンパクトに梱包する。なお、水栓１３ａ、収納部材１９及びその他の小物部品は、個別に梱包してもよいし、キャビネット本体内に同梱してもよい。設置場所にシステムキッチンＡが搬送されると、まず、キャビネット本体１１を壁面１０ａに沿わせて設置場所に設置する。このとき、水返し１４ａの裏面が壁面１０ａに接するようにする。
【００３０】
ついで、意匠パネル１５の裏面又は壁面１０ａに接着剤１５ａを塗布し、水返し１４ａの上端面に意匠パネル１５の下端面を合わせた状態で、意匠パネル１５を壁面１０ａに押し付けて接着する。この場合、接着剤１５ａに代えて両面テープを用いてもよい。これによって、意匠パネル１５は、前面を水返し１４ａの前面よりも前方に位置させるとともに、壁面１０ａに固定する。ここで、水返し２４ａの上面と意匠パネル１５の下面との間に隙間を設けてもよい。つぎに、意匠パネル１５の下面と水返し１４ａとの間、および、意匠パネル１５の下面前部と水返し１４ａの前面上部との間の段差の部分に、コーキング１５ｂなどのシール部材で水返し１４ａと意匠パネル１５の間を埋めることにより意匠パネル１５の取付けが終了する。
【００３１】
このとき、水返し１４ａと意匠パネル１５で構成されるバックガード１４の、カウンター１１ａの上面からの高さは１２５ｍｍに設定されるが、この高さは、簡単な実験に基づいて決定したものである。この実験は、水栓１３ａから吐出される水の流量を、１分当たり８リットルとしてシンク１３内で食器を洗うことで行った。この結果、バックガード１４に付着した水の最も高い位置が、カウンター１１ａの上面から１２０ｍｍの位置であった。このため、本実施形態では、少なくとも１２０ｍｍの高さを確保するために、バックガード１４の高さを１２５ｍｍとしたもので、他の条件も考慮すると１２５ｍｍ以上であることがより好ましい。
【００３２】
つぎに、意匠パネル１５の上方に、レール本体１７を固定する。レール本体１７の両端には、キャップ１６ｂが取り付けられており、レール本体１７を固定した後にレールカバー１６ａを取り付けてハンガーレール１６を構成する。そして、カウンター１１ａに水栓１３ａを取り付けるとともに、水栓１３ａに配水管（図示せず）を接続する。また、ＩＨヒータ１２に電気配線を接続し、ハンガーレール１６に収納部材１９を取り付けてシステムキッチンＡの設置が終了する。これによって、システムキッチンＡは、使用可能になる。
【００３３】
以上のように、本実施形態に係るシステムキッチンＡでは、バックガード１４を、カウンター１１ａと一体に成形された水返し１４ａと、水返し１４ａと別体になった意匠パネル１５で構成しており、意匠パネル１５は接着剤１５ａ又は両面テープを用いて壁面１０ａに取り付けられる。このため、設置場所に設置される前のシステムキッチンＡを運送する際には、意匠パネル１５が嵩張らない状態にして梱包することができ、これによって、意匠パネル１５の高さ分、梱包を小さくすることができる。この結果、梱包が小さくなった分運送費が安価になる。また、水返し１４ａは、カウンターと一体に形成されているため、カウンター１１ａと水返し１４ａの間には隙間が生じるような境界はない。このため、水栓１３ａの水を使用しても、カウンター１１ａの上面から後方の壁面１０ａに向かって水が浸入することはない。
【００３４】
また、意匠パネル１５は、水返し１４ａに固定されるのではなく、壁面１０ａに固定されるため、安定した状態で取り付けることができ、上下方向の長さもバックガード１４全体の高さが１２５ｍｍ以上になる範囲で任意に設定できる。さらに、本実施形態に係るシステムキッチンＡでは、意匠パネル１５の厚みを水返し１４ａの厚みよりも厚くして、意匠パネル１５の前面が水返し１４ａの前面よりも前方に位置するようにしている。これによって、水返し１４ａと意匠パネル１５の境界に隙間が生じていても、使用者からはその隙間が見えなくなる。
【００３５】
ここで、カウンター１１ａと水返し１４ａとを人造大理石等の樹脂で一体成形すると、水返し１４ａに反りが発生することがある。水返し１４ａに反りが発生した場合、水返し１４ａの上端部と意匠パネル１５の下端部との間に隙間が生じたり、水返し１４ａの前面と意匠パネル１５の前面との距離が不均一となる。すなわち、水返し１４ａに、正面からみたときに凸または凹の反りが発生した場合には、水返し１４ａと意匠パネル１５の間に隙間が発生する。
【００３６】
また、水返し１４ａに、上方から見たときに湾曲するような反りが生じている場合には、水返し１４ａの前面と意匠パネル１５の前面との距離が不均一になる。意匠パネル１５の厚みを水返し１４ａの厚みよりも厚くして、意匠パネル１５の前面が水返し１４ａの前面よりも前方に位置させた本実施形態によれば、上方から見たときに、意匠パネル１５の前面が意匠パネル１５と水返し１４ａの境界を隠すので、水返し１４ａの反りによる隙間や、水返し１４ａと意匠パネル１５の前面との距離が不均一であることが分かりにくい。従って水返し１４ａの反りによって美観を損なうことがなくなる。なお、壁面１０ａや意匠パネル１５に反りが発生している場合にも同様の効果を得ることができる。
【００３７】
さらに、水返し１４ａと意匠パネル１５の境界部が下向きの段部になっている。すなわち、意匠パネル１５の下面が露出し、水返し１４ａの前面と意匠パネル１５下面とで形成される角部が奥に位置するため、この部分に汚れや埃が溜まることもなくなる。また、意匠パネル１５の上端部は、ハンガーレール１６によって隠れるため、意匠パネル１５の上端部が見えることによって美観を損ねることもなくなる。さらに、カウンター１１ａと水返し１４ａ、シンク１３及び意匠パネル１５が、それぞれ人造大理石の成形体で構成されているため、傷がついても補修が可能になる。
【００３８】
（第２実施形態）
図３は、本発明の第２実施形態に係るシステムキッチンの要部の断面を示している。このシステムキッチンでは、バックガード２４は、カウンター２１ａと一体となってカウンター２１ａの後端部から上方に延びる水返し２４ａと、前述した意匠パネル１５からなっている。そして、意匠パネル１５は、固定部材２６、固定ねじ２７及び両面テープ２８によって壁部１０に固定されている。また、カウンター２１ａの後端部は、キャビネット本体１１の上面後端部よりも少し前方に位置しており、このため、キャビネット本体１１の後面とカウンター２１ａの後面の間には、段部２１ｂが設けられている。
【００３９】
固定部材２６は、横長の金属板からなっており、カウンター２１ａ及び水返し２４ａと壁面１０ａの間に配置される薄肉下部２６ａと意匠パネル１５と壁面１０ａの間に配置される厚肉上部２６ｂを備えている。薄肉下部２６ａは、上下方向の長さが段部２１ｂと水返し２４ａの上端部の間の長さと同じに設定されており、左右の縁部と下縁部を除いた部分が薄肉になっている。固定部材２６は、意匠パネル１５の後面下部を厚肉上部２６ｂの前面に合わせた状態で、意匠パネル１５に取り付けられる。そして、薄肉下部２６ａの上部側部分には、前後に貫通する複数のねじ挿通孔２６ｃが左右に間隔を保って形成されている。厚肉上部２６ｂは、上下方向の長さが薄肉下部２６ａの上下方向の長さよりも少し短く、厚みが、薄肉下部２６ａの左右及び下部の縁部の厚みと同じになっている。なお、厚肉上部２６ｂは厚みが２ｍｍ、薄肉下部２６ａは厚みが１ｍｍに設定されている。その他の寸法は前述した第１実施例と同じである。
【００４０】
固定ねじ２７は、ねじ部２７ａがねじ挿通孔２６ｃを挿通でき、頭部２７ｂがねじ挿通孔２６ｃの周縁部に係合できる大きさを有しており、ねじ部２７ａをねじ挿通孔２６ｃに通して壁部１０に螺合させることにより、固定部材２６を壁部１０に固定している。このとき、頭部２７ｂの前端部は、薄肉下部２６ａの左右及び下部の縁部の前端部よりも後方に位置して水返し２４ａに接触しないようになっている。また、両面テープ２８は、意匠パネル１５の裏面下部と厚肉上部２６ｂの前面を接着している。なお、図示は省略しているが、意匠パネル１５の裏面上部と壁面１０ａの間も両面テープ２８で固定されている。このシステムキッチンのそれ以外の部分の構成は、前述したシステムキッチンＡと同一である。また、固定部材２６としては、一体からなるものに限らず、左右方向の長さが短いものを複数個用いてもよい。なお、意匠パネル１５と固定部材２６とは予め工場で固定することが好ましい。また、両面テープ２８は接着剤でもよいし、接着剤と併用してもよい。本実施形態の両面テープ２８は厚みが１ｍｍ程度のものを使用している。
【００４１】
このシステムキッチンを設置する際には、まず、固定部材２６の下端部を、設置したキャビネット本体１１の上端の高さに位置させて、固定部材２６を固定ねじ２７で壁部１０に固定するとともに、意匠パネル１５を壁面１０ａ側に押し付けて厚肉上部２６ｂと壁面１０ａに接着する。そして、カウンタ−２１ａをキャビネット本体１１に載置するとともに壁面側に押付け、水返し２４ａの裏面と固定部材２６の薄肉下部２６ａを当接させる。
【００４２】
ここで、固定部材２６は、意匠パネル１５の後面下部を厚肉上部２６ｂの前面に合わせた状態で接着され、その薄肉下部２６ａは、上下方向の長さが段部２１ｂと水返し２４ａの上端部の間の長さと同じである。すなわち、キャビネット本体１１の上面と意匠パネル１５の下面との間が、カウンタ２１ａの厚みを含む水返し２４ａの高さと同じなので、水返し２４ａをキャビネット上面と意匠パネル下面との間に設置させるだけで、本発明に係るシステムキッチンを設置することができる。なお、水返し２４ａの上面と意匠パネル１５の下面との間に隙間を設けてもよい。また、その隙間にコーキング等のシール部材を設けてもよい。それ以降は、前述した第１実施形態と同じ方法で、各部分の取付けが行われる。
【００４３】
本実施形態に係るシステムキッチンによると、意匠パネル１５の位置決めが容易かつ正確になる。このシステムキッチンのそれ以外の作用効果は、前述したシステムキッチンＡと同様である。
【００４４】
また、第２実施形態に係るシステムキッチンの変形例として、固定部材２６の下部を、厚肉上部２６ｂと同じ厚みにして厚肉上部２６ｂにねじ挿通孔を設けることもできる。この場合、固定ねじ２７で固定部材２６を壁部１０に固定したときに、頭部２７ｂがねじ挿通孔から前方に突出しないようにする。これによると、まず、キャビネット本体１１を設置し、その後、壁面１０ａと水返し２４ａの間に固定部材２６の下部を挿し込んで、固定ねじ２７で固定部材２６を壁部１０に固定することができる。
【００４５】
（第３実施形態）
図４は、本発明の第３実施形態に係るシステムキッチンの要部の断面を示している。このシステムキッチンでは、バックガード３４は、前述した水返し１４ａと、意匠パネル１５で構成され、意匠パネル１５は、固定部材３６、固定ねじ２７及び両面テープ２８によって壁部１０に固定されている。固定部材３６は、横長のアングル状に成形した押出材からなっており、壁面１０ａに沿って配置される固定片３６ａと、固定片３６ａの下端部から前方に延びる支持片３６ｂと、支持片３６ｂの前端部から下方に延びる覆い片３６ｃで構成されている。
【００４６】
固定片３６ａには、前後に貫通する複数のねじ挿通孔３６ｄが左右に間隔を保って形成されている。このねじ挿通孔３６ｄは、固定ねじ２７のねじ部２７ａが挿通でき、頭部２７ｂが係合できる大きさに形成されている。また、支持片３６ｂの前後の長さは、意匠パネル１５の厚みよりも短く、水返し１４ａの厚みよりも長くなっており、この長さは、固定片３６ａの上下の長さと略同じである。覆い片３６ｃの上下方向の長さは、前方から見た状態で水返し１４ａの前面上端部に形成された面取り部を覆える長さに設定されている。なお、固定部材３６は１ｍｍの板厚で成形されており、覆い片３６ｃの上下方向の長さは３ｍｍに設定されている。
【００４７】
固定ねじ２７は、ねじ部２７ａをねじ挿通孔３６ｄに通してと壁部１０に螺合させることにより、固定部材３６を壁部１０に固定している。このとき、頭部２７ｂの前端部は、意匠パネル１５に接触しないようになっている。また、両面テープ２８は、厚みが２ｍｍのものを用い、意匠パネル１５の裏面における固定片３６ａに対向する部分およびその近傍部分を除いた部分と壁面１０ａを接着している。なお、本実施形態では、固定部材３６と水返し１４ａとは隙間をあけて意匠パネル１５を設置しているが、固定部材３６と水返し１４ａとは接していてもよい。また、水返し１４ａと固定部材３６との間および、意匠パネル１５と固定部材３６との間をシールするコーキング１５ｂなどのシール部材を設けてもよい。このシステムキッチンのそれ以外の部分の構成や寸法は、前述したシステムキッチンＡと同一である。
【００４８】
このシステムキッチンを設置する際には、まず、キャビネット本体１１を壁面１０ａに沿わせて設置する。つぎに、覆い片３６ｃで水返し１４ａの上端前部の面取り部を覆うようにして、固定部材３６を固定ねじ２７で壁部１０に水平に固定する。ついで、意匠パネル１５の裏面における下部を除いた部分又は壁面１０ａにおける意匠パネル１５が固定される部分に両面テープ２８を貼り付け、意匠パネル１５の下端面を支持片３６ｂの上面に合わせた状態で、意匠パネル１５を壁面１０ａ側に押し付けて接着する。この場合も両面テープ２８に代えて接着剤１５ａを用いてもよい。それ以降は、前述した第１実施形態と同じ方法で、各部分の取付けが行われる。
【００４９】
本実施形態に係るシステムキッチンによると、意匠パネル１５は、固定部材３６の支持片３６ｂに支持された状態で、両面テープ２８又は接着剤１５ａで壁面１０ａに固定されるため、より確実に固定される。また、覆い片３６ｃが水返し１４ａの上端前部を覆うため、水返し１４ａの前面上縁部が見えることによって美観を損なうことがなくなるとともに、支持片３６ｂと水返し１４ａの間に水が浸入することが防止される。さらに、水返し１４ａの高さにばらつきが生じて、水返し１４ａの上端が凹凸になっている場合もその凹凸が覆い片３６ｃによって隠れる。このため、水返し１４ａの上端の凹凸が見えることによって美観を損なうこともなくなる。このシステムキッチンのそれ以外の作用効果は、前述したシステムキッチンＡと同様である。
【００５０】
（第４実施形態）
図５は、本発明の第４実施形態に係るシステムキッチンの要部の断面を示している。このシステムキッチンでは、バックガード４４は、前述した水返し１４ａと、意匠パネル４５で構成され、意匠パネル４５は、固定部材４６及び固定ねじ２７によって壁部１０に固定されている。この意匠パネル４５の断面は、矩形に形成されている。また、固定部材４６は、金属を横長のアングル状に成形した押出材からなっており、壁面１０ａに沿って配置される固定片４６ａと、固定片４６ａの下端部から前方に延びる支持片４６ｂと、支持片４６ｂの前端近傍部分から下方に延びる覆い片４６ｃと、支持片４６ｂの前端部から上方に延びる位置決め片４６ｄで構成されている。
【００５１】
すなわち、固定部材４６における位置決め片４６ｄを除いた部分は、前述した固定部材３６と同一であり、固定片４６ａには、前後に貫通する複数のねじ挿通孔４６ｅが左右に間隔を保って形成されている。また、意匠パネル４５の前面下部は、高さが３ｍｍの位置決め片４６ｄによって前後方向の移動を規制されている。なお、図示は省略しているが、意匠パネル４５の裏面上部と壁面１０ａの間は接着剤１５ａ又は両面テープ２８で固定されている。また、本実施形態においても、固定部材４６と水返し１４ａとは隙間をあけて意匠パネル４５を設置しているが、固定部材４６と水返し１４ａとは接していてもよい。また、水返し１４ａと固定部材４６との間および、意匠パネル４５と固定部材４６との間にコーキング１５ｂなどのシール部材を設けてもよい。このシステムキッチンのそれ以外の部分の構成や寸法は、前述したシステムキッチンＡと同一である。
【００５２】
このシステムキッチンを設置する際には、まず、前述した第３実施形態と同様にして、キャビネット本体１１を設置するとともに、固定部材４６を固定ねじ２７で壁部１０に固定する。ついで、意匠パネル４５の裏面上部又は壁面１０ａにおける意匠パネル４５の上部に対向する部分に、接着剤１５ａを塗布するか又は両面テープ２８を貼り付ける。つぎに、意匠パネル４５の下端部を固定片４６ａと位置決め片４６ｄの間に挿し込んで下面を支持片４６ｂの上面に合わせた状態で、意匠パネル４５の上部を壁面１０ａ側に押し付けて接着する。それ以降は、前述した第１実施形態と同じ方法で、各部分の取付けが行われる。
【００５３】
本実施形態に係るシステムキッチンによると、固定部材４６の覆い片４６ｃと位置決め片４６ｄで、水返し１４ａと意匠パネル４５の境界部分が隠れてしまうため、水返し１４ａと意匠パネル４５の境界部分が見えることによって美観を損なうことがなくなる。また、覆い片４６ｃによって、支持片４６ｂと水返し１４ａの間に水が浸入することも防止される。さらに、固定片４６ａと位置決め片４６ｄで、意匠パネル４５の下端の前後方向の位置決めができるため、意匠パネル４５の確実な固定ができるようになる。このシステムキッチンのそれ以外の作用効果は、前述したシステムキッチンＡと同様である。
【００５４】
（第５実施形態）
図６は、本発明の第５実施形態に係るシステムキッチンの要部の断面を示している。このシステムキッチンでは、バックガード５４は、前述した水返し１４ａと、意匠パネル５５で構成され、意匠パネル５５は、板厚が１０ｍｍバックアップ材５６及び厚みが１ｍｍ両面テープ２８によって壁面１０ａに固定されている。意匠パネル５５は厚みが５ｍｍの板状に形成され、前面と下端面とが交差する部分は面取り加工されている。
【００５５】
意匠パネル５５の裏面における下部と上部にはそれぞれバックアップ材５６が接着等により取り付けられており、この意匠パネル５５とバックアップ材５６の合計厚みは、前述した意匠パネル１５，４５と同じ厚みになっている。そして、バックアップ材５６の裏面と壁面１０ａの間は両面テープ２８で固定されており、意匠パネル５５はバックアップ材５６を介して壁面１０ａに固定されている。このシステムキッチンのそれ以外の部分の構成や寸法は、前述したシステムキッチンＡと同一である。また、このシステムキッチンの設置は、前述した第１実施形態と同様に行われる。なお、本実施形態においても、両面テープ２８に代えて接着剤１５ａを用いてもよい。
【００５６】
本実施形態に係るシステムキッチンによると、人造大理石で構成される意匠パネル５５を薄肉にして、厚みの不足分、すなわち、意匠パネル５５の前面を水返し１４ａの前面よりも前方に位置させることを安価な材料で構成できるバックアップ材５６で補うことができる。このため、意匠パネル５５の軽量化とコストの低減が可能になる。このシステムキッチンのそれ以外の作用効果は、前述したシステムキッチンＡと同様である。
【００５７】
（第６実施形態）
図７は、本発明の第６実施形態に係るシステムキッチンの要部の断面を示している。このシステムキッチンでは、バックガード６４は、前述した水返し１４ａと、意匠パネル６５で構成され、意匠パネル６５は、固定ねじ６７によって壁部１０に固定されている。意匠パネル６５は、前面に大理石模様が施された表面部６５ａと、表面部６５ａの周縁部から後方に延びる周壁部６５ｂと、表面部６５ａの後面に上下に間隔をおいて配置され周壁部６５ｂの左右両壁に掛け渡された２つの補強部６５ｃを備えており、２ｍｍの板厚で各部が形成されている。そして、表面部６５ａにおける２つの補強部６５ｃ間に対応する部分に、左右に間隔を保って複数の円筒状の固定部６６が形成されている。なお、意匠パネルの厚さ、すなわち、壁面から意匠パネル６５の前面までの距離は１５ｍｍに設定されている。
【００５８】
この固定部６６は、図８に示したように、表面部６５ａを貫通して前後がそれぞれ開口しており、その内周面における前後の中央よりも少し後方に、前後に貫通するねじ挿通孔を備えたねじ係合部６６ａが形成されている。意匠パネル６５は、固定ねじ６７のねじ部６７ａを固定部６６内に前方から入れてねじ係合部６６ａのねじ挿通孔に通し、壁部１０に螺合させることにより固定されており、固定ねじ６７の頭部６７ｂはねじ係合部６６ａに係合している。また、固定部６６の前端開口には、目隠しキャップ６８が取り付けられており、この目隠しキャップ６８によって、固定部６６及び固定ねじ６７は見えなくなっている。このシステムキッチンのそれ以外の部分の構成や寸法は、前述したシステムキッチンＡと同一である。
【００５９】
このシステムキッチンの設置は、キャビネット本体１１を壁面１０ａに沿って設置した後に、固定ねじ６７及び目隠しキャップ６８を用いて意匠パネル６５を壁部１０に固定し、その後は、前述した第１実施形態と同様の作業によって行われる。本実施形態に係るシステムキッチンによると、意匠パネル６５の内部から裏面にかけての部分が空洞になるため意匠パネル６５を軽量にできる。また、意匠パネル６５を固定ねじ６７で壁部１０に固定するため、作業が容易になるとともに強固な固定が可能になる。このシステムキッチンのそれ以外の作用効果は、前述したシステムキッチンＡと同様である。
【００６０】
（第７実施形態）
図９は、本発明の第７実施形態に係るシステムキッチンの要部の断面を示している。このシステムキッチンでは、バックガード７４は、前述した水返し２４ａと、意匠パネル７５で構成され、意匠パネル７５は、固定ねじ２７によって壁部１０に固定されている。水返し２４ａは、前述した第２実施形態と同様、カウンター２１ａと一体に形成されており、キャビネット本体１１の後面とカウンター２１ａの後面の間には、段部２１ｂが設けられている。意匠パネル７５は、前面に大理石模様が施された表面部７５ａと、表面部７５ａの周縁部から後方に延びる周壁部７５ｂと、表面部７５ａの後面に上下に間隔をおいて配置され周壁部７５ｂの左右両壁に掛け渡された２つの補強部７５ｃと、周壁部７５ｂの下端後部から下方に延びる板状固定部７５ｄで構成されている。
【００６１】
板状固定部７５ｄは、上下方向の長さが段部２１ｂと水返し２４ａの上端部の間の長さと同じに設定されており、左右の縁部と下縁部を除いた部分が薄肉になっている。そして、板状固定部７５ｄの上部側部分に前後に貫通する複数のねじ挿通孔７５ｅが左右に間隔を保って形成されている。意匠パネル７５は、固定ねじ２７のねじ部２７ａを板状固定部７５ｄのねじ挿通孔７５ｅに通し、壁部１０に螺合させることにより固定されており、固定ねじ２７の頭部２７ｂはねじ挿通孔７５ｅの周縁部に係合している。なお、図示は省略しているが、意匠パネル７５の上部は所定の固定部材とねじとで壁部１０に固定されている。このシステムキッチンのそれ以外の部分の構成は、前述したシステムキッチンＡと同一である。
【００６２】
このシステムキッチンを設置する際には、まず、キャビネット本体１１を設置した後、板状固定部７５ｄの下端部がキャビネット本体１１の上端の高さに位置するようにして、意匠パネル７５を固定ねじ２７で壁部１０に固定する。このとき、意匠パネル７５の上部も固定部材とねじとで壁部１０に固定する。それ以降は、前述した第２実施形態と同じ方法で、各部分の取付けが行われる。
【００６３】
本実施形態に係るシステムキッチンでは、意匠パネル７５の内部から裏面にかけての部分が空洞になっているため、意匠パネル７５の軽量化が図れる。また、意匠パネル７５を壁部１０に固定するための板状固定部７５ｄが意匠パネル７５と一体に形成されているため、部品点数が少なくなるとともに、意匠パネル７５を強固に固定できる。このシステムキッチンのそれ以外の作用効果は、前述したシステムキッチンＡと同様である。
【００６４】
（第８実施形態）
図１０は、本発明の第８実施形態に係るシステムキッチンの要部の断面を示している。このシステムキッチンでは、バックガード８４は、前述した水返し１４ａと、意匠パネル８５で構成され、意匠パネル８５は、前述した固定部材４６及び固定ねじ２７によって壁部１０に固定されている。意匠パネル８５は、前面に大理石模様が施された表面部８５ａと、表面部８５ａの周縁部から後方に延びる周壁部８５ｂと、表面部８５ａの後面に上下に間隔をおいて配置され周壁部８５ｂの左右両壁に掛け渡された２つの補強部８５ｃで構成されており、２ｍｍの板厚で各部が形成されている。なお、意匠パネルの厚さ、すなわち、壁面から意匠パネル６５の前面までの距離は１５ｍｍに設定されている。
【００６５】
固定部材４６は、前述したように、固定片４６ａと、支持片４６ｂと、高さが３ｍｍの覆い片４６ｃと、高さが３ｍｍの位置決め片４６ｄで構成されており、固定片４６ａには、前後に貫通する複数のねじ挿通孔４６ｅが左右に間隔を保って形成されている。この固定部材４６は、固定ねじ２７のねじ部２７ａをねじ挿通孔４６ｅに通し、壁部１０に螺合させることにより固定されており、ねじ２７の頭部２７ｂはねじ挿通孔４６ｅの周縁部に係合している。そして、意匠パネル８５の前面下部は、位置決め片４６ｄによって位置決めされている。なお、図示は省略しているが、意匠パネル８５の上部も所定の固定部材とねじとで壁部１０に固定されている。また、本実施形態においても、水返し１４ａと固定部材４６との間および、意匠パネル４５と固定部材４６との間にコーキング１５ｂなどのシール部材を設けても良い。このシステムキッチンのそれ以外の部分の構成は、前述したシステムキッチンＡと同一である。
【００６６】
このシステムキッチンの設置は、前述した第４実施形態と同様にして行われる。本実施形態に係るシステムキッチンによると、固定部材４６の覆い片４６ｃと位置決め片４６ｄで、水返し１４ａと意匠パネル８５の境界部分が隠れてしまうため、水返し１４ａと意匠パネル８５の境界部分が見えることによって美観を損なうことがなくなる。また、固定片４６ａと位置決め片４６ｄで、意匠パネル８５の下端の前後方向の位置決めができるため、意匠パネル８５の確実な固定ができるようになる。さらに、意匠パネル８５の軽量化も図れる。このシステムキッチンのそれ以外の作用効果は、前述したシステムキッチンＡと同様である。
【００６７】
（第９実施形態）
図１１は、本発明の第９実施形態に係るシステムキッチンの要部の断面を示している。このシステムキッチンでは、バックガード９４は、前述した水返し１４ａと、意匠パネル４５で構成され、意匠パネル４５は、ハンガーレール９６及び固定ねじ２７によって壁部１０に固定されている。意匠パネル４５の角部には、面取り加工がされている。また、ハンガーレール９６は、横長の押出材からなっており、断面形状が略コ字状のレール本体９６ａと、意匠パネルの前後方向の移動を規制する位置決め片４６ｄと、固定片９６ｂと、係合部９６ｃと、覆い部９６ｄで構成されている。
【００６８】
固定片９６ｂは、レール本体９６ａの後端から上方に延びており、その上下方向の中央部分には、左右に間隔を保って複数のねじ挿通孔９６ｅが形成されている。係合部９６ｃは、レール本体９６ａの上部前端に交差して上下両方に延びており下端部は後方に向かって屈曲している。覆い部９６ｄは、レール本体９６ａの下部前端から直交して下方に延びている。また、意匠パネル４５の前面下部は、係合部９６ｃの上部によって位置決めされ、図示は省略しているが、意匠パネル４５の裏面上部と壁面１０ａの間は接着剤１５ａ又は両面テープ２８で固定されている。また、水返し１４ａとレール本体９６との間および、意匠パネル４５レール本体９６との間にコーキング１５ｂなどのシール部材を設けても良い。このシステムキッチンのそれ以外の部分の構成は、前述したシステムキッチンＡと同一である。
【００６９】
このシステムキッチンの設置は、前述した第４実施形態と同様にして行われる。そして、ハンガーレール９６には、任意の物品、例えばライトや装飾部品などをスライド可能に取り付けることができる。この場合、ハンガーレール９６に取り付けられる物品には、上端部分が屈曲した吊棒を設けておく。そして、この吊棒を係合部９６ｃと覆い部９６ｄの間からレール本体９６ａの内部に挿し込んで上端の屈曲した部分を係合部９６ｃの下端部に係合させることにより、物品をハンガーレール９６に取り付ける。
【００７０】
本実施形態に係るシステムキッチンによると、ハンガーレール１６にスライド可能に取り付けられた収納部材１９に、洗剤やスポンジ等を置くことができるとともに、ハンガーレール９６に他の物品をスライド可能に取り付けることができる。このように、ハンガーレール９６は、意匠パネル４５を壁部１０に固定したり、水返し１４ａと意匠パネル４５の境界部分を隠したりするためだけでなく、所定の物品を支持するためにも用いられるため、有効利用が可能になる。このシステムキッチンのそれ以外の作用効果は、前述したシステムキッチンＡと同様である。
【００７１】
（第１０実施形態）
図１２は、本発明の第１０実施形態に係るシステムキッチンＢを示している。このシステムキッチンＢでは、バックガード１０４は、前述した水返し１４ａと、３つの小意匠パネル１０５ａ，１０５ｂ，１０５ｃで構成されている。小意匠パネルは、システムキッチンＢの左右方向の長さ、すなわち、長手方向の幅よりも短い。各小意匠パネル１０５ａ，１０５ｂ，１０５ｃはそれぞれ接着剤１５ａで壁面１０ａに固定されている。また、小意匠パネル１０５ａ，１０５ｂ間及び小意匠パネル１０５ｂ，１０５ｃ間はそれぞれ目地材１０６でシールされている。
【００７２】
小意匠パネル１０５ａは、ＩＨヒータ１２の後方に配置されており、加熱されたり、ＩＨヒータ１２で使用する油が飛び散って付着したりする。このため、小意匠パネル１０５ａは、難燃性や撥油性に優れた材料を適宜選択して成形されており、表面には所定のデザインが施されている。小意匠パネル１０５ｂは、小意匠パネル１０５ａ，１０５ｃ間に配置されており前述した意匠パネル１５，４５等と同じ材料で構成されている。小意匠パネル１０５ｂは、シンク１３の後方に配置されており、シンク１３で使用する水が飛び散って付着する。このため、小意匠パネル１０５ｃは、防水性及び耐水性に優れた樹脂材料で成形されており、表面には所定のデザインが施されている。このシステムキッチンのそれ以外の部分の構成は、前述したシステムキッチンＡと同一である。
【００７３】
このシステムキッチンＢの設置は、前述した第１実施形態と同様にして行われるが、小意匠パネル１０５ａ，１０５ｂ，１０５ｃを取り付ける際には同じ作業を３回繰り返す。本実施形態に係るシステムキッチンによると、小意匠パネル１０５ａ，１０５ｂ，１０５ｃを取り付けられる場所に応じた特性を備えたもので構成することができる。また、カウンター１１ａの左右方向の中央部には、ＩＨヒータ１２もシンク１３も位置していないため、小意匠パネル１０５ｂを省略することもできる。このシステムキッチンＢのそれ以外の作用効果は、前述したシステムキッチンＡと同様である。
【００７４】
本発明に係るシステムキッチンは、前述した各実施形態に限定するものでなく、適宜変更して実施することができる。例えば、前述した実施形態１ないし９では、意匠パネル１５，４５等を人造大理石の成形体で構成しているが、意匠パネル１５，４５等は、これに限らず他の材料、例えば、ＡＢＳ樹脂、メラミン樹脂などの樹脂材料やアルミニウムやステンレスなどの金属で構成してもよい。また、樹脂材料や金属材料からなる板部材の表面に印刷による模様を施してもよいし、模様が印刷されたシートを貼り付けてもよい。模様は、天然大理石の模様でもよいし、天然大理石以外の模様でもよい。さらには、意匠パネルの表面にフッ素加工やシリコンコーティングすることで、撥油機能を付与してもよい。
【００７５】
また、図１０に示した第８実施形態では、固定部材４６の位置決め片４６ｄを支持片４６ｂの前端部に形成し、意匠パネル４５前面に位置して意匠パネル４５の前後方向を規制しているが、この固定部材４６に代えて、図１３に示した固定部材５６を用いてもよい。この実施形態では、位置決め片５６ｄを支持片５６ｂの中間部に形成するとともに、意匠パネル９５の下面に溝９５ａを形成し、この溝９５ａに位置決め片５６ｄを差し込み、意匠パネル９５の前後方向を規制するようにしている。図１３に示した実施形態のそれ以外の部分の構成は、第８実施形態と同じであるため、図１３においては同一部分に同一符号を記している。また、図５に示した第４実施形態でも固定部材４６に代えて固定部材５６を用いることができ、この場合も、意匠パネル４５の下面に溝を設ける。
【００７６】
また、固定部材は、ステンレスなどの金属板を折り曲げて形成したものを、溶接や接着して作製してもよく、ＡＢＳ樹脂やＰＰ樹脂などで一体に成形してもよい。さらに、前述した各実施形態では、意匠パネル１５，４５等の前面が、水返し１４ａ，２４ａの前面よりも前方に位置するようにしているが、意匠パネル１５，４５等の前面と、水返し１４ａ，２４ａの前面が前後方向の略同じ位置に位置するようにしてもよい。これによると、意匠パネル１５，４５等の前面と、水返し１４ａ，２４ａの前面の清掃が容易になる。また、本発明に係るシステムキッチンのそれ以外の部分の構成についても本発明の技術的範囲内で適宜変更することができる。
【符号の説明】
【００７７】
１０ａ…壁面、１１ａ，２１ａ…カウンター、１４，２４，３４，４４，５４，６４，７４，８４，９４，１０４…バックガード、１４ａ，２４ａ…水返し、１５，４５，５５，６５，７５，８５，９５…意匠パネル、３６，４６，５６…固定部材、３６ａ，４６ａ…固定片、３６ｂ，４６ｂ，５６ｂ…支持片、３６ｃ，４６ｃ…覆い片、７５ｄ…板状固定部、１０５ａ，１０５ｂ，１０５ｃ…小意匠パネル、Ａ，Ｂ…システムキッチン。
【図１】
2015229064.tif 000003
【図２】
2015229064.tif 000004
【図３】
2015229064.tif 000005
【図４】
2015229064.tif 000006
【図５】
2015229064.tif 000007
【図６】
2015229064.tif 000008
【図７】
2015229064.tif 000009
【図８】
2015229064.tif 000010
【図９】
2015229064.tif 000011
【図１０】
2015229064.tif 000012
【図１１】
2015229064.tif 000013
【図１２】
2015229064.tif 000014
【図１３】
2015229064.tif 000015